(57)【特許請求の範囲】
【請求項１】
駆動で回転する回転軸に回転体を取り付け、同回転軸から半径方向に所定距離離れた位置で回転体にマルチフィルムを巻き付ける複数の巻き取り部材を軸方向に突出させ、同回転体は長円状のリング部材と、前記リング部材の長円面から離れた位置で回転軸に取り付けられた取付管部材と、前記リング部材から中心に向かい途中で折曲して前記取付管部材に接続する複数の支持部管部材とからなり、取付管部材の長円面側の端は長円面に対して離れた位置となるようにして複数の支持部管部材の内側にすき間空間を設け、同すき間空間を介してマルチフィルムの終端部分を巻き取ったマルチフィルムに巻いて結束できるようにしたマルチフィルム回収用巻き取り具。
【請求項２】
巻き取り部材は、マルチフィルムを巻き取ると同マルチフィルムの締め付け力によって回転軸内側に少し傾く構造又は強度にし、複数の巻き取り部材が傾かないよう保持する固定具を巻き取り部材に脱着自在に取り付けた請求項１記載のマルチフィルム回収用巻き取り具。
【請求項３】
農作業機の動力で駆動される回転軸に請求項１又は２いずれかに記載のマルチフィルム回収用巻き取り具を取り付けたマルチフィルム回収機能のある農作業機。
【発明の詳細な説明】
【０００１】
【発明の属する技術分野】
本発明は、作物の保温のために畑に設置したマルチフィルムを使用後に巻き取って回収できるようにしたマルチフィルム回収用巻き取り具及び回収機能のある農作業機に関する。
【０００２】
【従来の技術】
従来、野菜栽培農家においては、農作物の早期収穫出荷のために圃場の畝に極薄いマルチフィルムを敷き詰め、保温効果を高める農法がある。この栽培方法は早期収穫出荷に非常に効果がある。このマルチフィルムの収穫後の処理は畑での焼却処理が一般的であった。
しかしながら、近年畑での焼却などでの低温焼却におけるダイオキシン発生問題が拡がるにつれて畑での焼却処理ができないという問題が発生してきた。
そこで自治体によってはこの廃棄されるマルチフィルムを一括回収し、大型焼却炉による一括焼却処分にする動きがでてきた。
従って、農家は廃棄されるマルチフィルムを回収・保管する必要がある。
しかし従来、図１４に示すようにマルチフィルムの回収作業は手作業であった。畝上に敷き詰めたマルチフィルムは長く設置されているので、手作業で端から巻き取って行くのは大変であった。また、手作業では巻き取り形状は一定とならず、回収したものを保管するのに場所を取っていた。
【０００３】
【発明が解決しようとする課題】
本発明が解決しようとする課題は従来のこれらの問題を解消し、畑で使用したマルチフィルムを巻き取って回収することができ、巻き取ったマルチフィルムの終端又は結束部材で巻き取った状態のマルチフィルムを結束してマルチフィルムの取り扱いを容易にできるマルチフィルム回収用巻き取り具及び回収機能のある農作業機を提供することにある。
【０００４】
【課題を解決するための手段】
かかる課題を解決した本発明の構成は、
１）  駆動で回転する回転軸に回転体を取り付け、同回転軸から半径方向に所定距離離れた位置で回転体にマルチフィルムを巻き付ける複数の巻き取り部材を軸方向に突出させ、同回転体は長円状のリング部材と、前記リング部材の長円面から離れた位置で回転軸に取り付けられた取付管部材と、前記リング部材から中心に向かい途中で折曲して前記取付管部材に接続する複数の支持部管部材とからなり、取付管部材の長円面側の端は長円面に対して離れた位置となるようにして複数の支持部管部材の内側にすき間空間を設け、同すき間空間を介してマルチフィルムの終端部分を巻き取ったマルチフィルムに巻いて結束できるようにしたマルチフィルム回収用巻き取り具
２）  巻き取り部材は、マルチフィルムを巻き取ると同マルチフィルムの締め付け力によって回転軸内側に少し傾く構造又は強度にし、複数の巻き取り部材が傾かないよう保持する固定具を巻き取り部材に脱着自在に取り付けた前記１）記載のマルチフィルム回収用巻き取り具
３）  農作業機の動力で駆動される回転軸に前記１）又は２）いずれかに記載のマルチフィルム回収用巻き取り具を取り付けたマルチフィルム回収機能のある農作業機
にある。
【０００５】
【作用】
本発明では畑で使用したマルチフィルムを回転体に突出させて設けた巻き取り部材を取り付ける。回転体は駆動で回転軸に取り付けられているので、回転体を回転させる。回転体には複数の巻き取り部材を設けているので、回転体が回転することによって後方に引かれるマルチフィルムが別の巻き取り部材に係合するようにして、徐々に巻き取って行く。このようにしてマルチフィルムを巻き取ったならば、マルチフィルムの終端又は結束部材をすき間空間に差し込んで、巻き取ったマルチフィルムの一部を結束し、巻き取った状態に保持して、マルチフィルムを巻き取り部材から取りはずす。このようにして巻き取った状態でマルチフィルムを結束して取りはずすことができる。
巻き取り部材をマルチフィルムの締め付け力によって回転軸方向に少し傾く構造又は強度にし、巻き取り部材に固定具を脱着自在に取り付けたものは、巻き取って結束したマルチフィルムを巻き取り部材から取りはずす際に、固定具を巻き取り部材から取りはずすようにして巻き取り部材をマルチフィルムの締め付け力によって回転軸方向に少し傾くようにして、巻き取り部材とマルチフィルムが軽く係合するようにして容易にマルチフィルムが取りはずせるようにする。
回転体が、リング部材と取付管部材と支持管部材とからなるものは、長円状のリング部材とリング部材の長円面から離れた位置の取付管部材を接続する支持管部材を途中で折曲させるようにしてすき間空間を形成する。
農作業機の動力で駆動させる回転軸にマルチフィルム回収用巻き取り具を取り付けたものは、農作業機の動力を利用してマルチフィルムを巻き取って回収する。
【０００６】
【発明の実施の形態】
すき間空間は、どのような形状でもよく、巻き取ったマルチフィルムの終端又は結束部材をスムーズに差し込める空間を形成するものが好ましい。
回転体及び巻き取り部材の材質には、金属、樹脂、木などがあり、どのようなものを用いてもかまわない。
巻き取り部材は回転体の２箇所に設けてマルチフィルムを楕円状に巻き取るようにしてもよいし、回転体の３箇所に設けてマルチフィルムを三角状に巻き取るようにしてもよいし、回転体の４箇所に設けてマルチフィルムを四角状に巻き取るようにしてもよいし、さらに多くの箇所に設けて多角形状又は略円形状に巻き取るようにしてもよい。
巻き取り具の回転体，巻き取り部材，固定具は、中実のものでも中空のものでもよく、中空の管材を用いて構成する場合には、その断面形状はどのようなものでもよい。
【０００７】
【実施例】
本発明の実施例について図面を参照して具体的に説明する。
図１〜１２に示す実施例は、回転体の回転中心付近を凹んだ形状のすき間空間を形成し、巻き取り部材がマルチフィルムの締め付け力によって回転軸方向に少し傾く構造・形状にし、巻き取り部材に固定具を取り付け、回転体を管材で構成するようにしたマルチフィルム回収用巻き取り具の例であって、農作業機として収穫機にマルチフィルム回収用巻き取り具を取り付けたマルチフィルム回収機能のある農作業機の例である。
図１は実施例のマルチフィルム回収用巻き取り具を取り付けたマルチフィルム回収機能のある農作業機の斜視図である。図２は実施例のマルチフィルム回収用巻き取り具を取り付けたマルチフィルム回収機能のある農作業機の説明図である。図３は実施例のマルチフィルム回収用巻き取り具を取り付けたマルチフィルム回収機能のある農作業機の説明図である。図４は実施例のマルチフィルム回収用巻き取り具を取り付けたマルチフィルム回収機能のある農作業機の説明図である。図５は実施例のマルチフィルム回収用巻き取り具を取り付けたマルチフィルム回収機能のある農作業機の動力伝達図である。図６は実施例のマルチフィルム回収用巻き取り具の斜視図である。図７は実施例のマルチフィルム回収用巻き取り具の説明図である。図８は実施例のマルチフィルム回収用巻き取り具の説明図である。図９，１０は実施例のマルチフィルム回収用巻き取り具で巻き取ったマルチフィルムを取り外す状態の説明図である。図１１は実施例のマルチフィルム回収用巻き取り具の回転軸への取り付け部分の一部拡大図である。図１２は実施例のマルチフィルム回収用巻き取り具の巻き取り部材取付部分の一部拡大図である。
図中、１はマルチフィルム回収機能のある収穫機、２は巻き取り具、２ａはリング部材として用いた回転フレーム、２ｂは取付管部材として用いた取付軸部、２ｃは取付管、２ｄは巻き取り部材、２ｅは固定具、２ｆは取付ピン、２ｇはピン止め、２ｈは取付ピン、２ｉはピン止め、２ｊはすき間空間、２ｋは支持部管部材、３は引き起こし装置、３ａ〜３ｆはスプロケット、３ｇ〜３ｉはチェーン、３ｊは引き起こし爪、３ｋは回転軸、４は掻き込み装置、４ａ〜４ｄはプーリー、４ｅ，４ｆはベルト、４ｇは掻き込み爪、５は引抜装置、５ａ〜５ｄはプーリー、５ｅ，５ｆはベルト、６は位置決め移送装置、６ａ〜６ｄはプーリー、６ｅ，６ｆはベルト、７は整列排出装置、７ａ，７ｂはプーリー、７ｃはベルト、８は切断装置、８ａは切断刃、８ｂはベベルギア部、８ｃ〜８ｆはスプロケット、８ｇ，８ｈはチェーン、９はエンジン、１０は走行ミッション、１０ａはクラッチ、１１は伝動ケース、１２は車輪、１３は前輪、１６ａ〜１６ｋは駆動スプロケット、１７ａ〜１７ｅは駆動チェーン、１８ａ〜１８ｇはベベルギア部、１９ａ，１９ｂは駆動軸、２０はウォームギア、Ｃはマルチフィルムである。
【０００８】
本実施例では玉ねぎ収穫に用いられる収穫機にマルチフィルムの巻き取り具を脱着自在に設けている。
まず、巻き取り具２は図６〜８に示すように長円状の回転フレーム２ａを設ける。回転フレーム２ａは管材を長円状に設けたものである。次に支持部管部材２ｋを設ける。支持部管部材２ｋは、回転フレーム２ａの４箇所から管材を回転フレーム２ａの長円面に沿って中央に向かい途中で長円面から離れるように折曲したもので、その中央には、取付軸部２ｂを設ける。取付軸部は長円の中心方向に伸びたもので、取付軸部２ｂの長円面側の端は支持部管部材２ｋの折曲させた４本の端を取り付けるようにして長円面に対して離れた位置になるようにする。また、取付軸部２ｂも管材で設け、先端には取付ピン用の穴を管材の軸に対し直角方向に貫通させて設ける。このようにして略十字に回転フレーム２ａをつないだ支持部管部材２ｋを途中で折曲させるようにして、回転フレーム２ａの長円面と回転中心付近が離れるようにし、十字の重なる中央に設ける取付軸部２ｂも長円面から離れるようにしてすき間空間２ｊを設ける。
次に図６〜８，１２に示すように回転フレーム２ａの十字につないだ管材の中心から所定の半径方向の位置に１８０°対向するように短い長さの管材を取付管２ｃとして取付軸部２ｂが伸びている方向と反対方向に伸びるように立設する。この取付管２ｃにはピン用の穴を管材の軸に対し直角方向に貫通させてそれぞれ設ける。次に所定長さの管材の巻き取り部材２ｄを２つ設ける。巻き取り部材２ｄの外径は、取付管２ｃの内穴に所定のすきまを持って嵌入できる径にする。また巻き取り部材２ｄにはピン用の穴を管の軸に対して直角方向に貫通させてそれぞれ設ける。次に巻き取り部材２ｄを取付管２ｃに挿入し、取付用の穴を合わせて取付ピン２ｆを図１２に示すように巻き取り部材２ｄと取付管２ｃの取付用の穴を貫通させるよう挿入し、さらに取付ピン２ｆにあらかじめ設けられた穴にピン止め２ｇを取り付ける。これによって巻き取り部材２ｄは、回転フレーム２ａに確実に取り付けられ、さらに取付管２ｃの内穴の径と巻き取り部材２ｄの外径の差がすきまと巻き取り部材２ｄのピン用の穴と取付ピン２ｆのすきまによって、巻き取り部材２ｄは所定の小さい範囲で傾動自在となる。
次に図６〜８に示すようにコ字状で棒材の固定具２ｅを設ける。固定具２ｅはコ字状の両端が管状の巻き取り部材２ｄの先端にそれぞれ取り付けられる径、及びコ字状の寸法になるように設ける。
【０００９】
収穫機は図１〜５に示すように前端部分に引き起こし装置３を設けている。引き起こし装置３は左右に長い駆動軸に所定の間隔でスプロケット３ａ，３ｃ，３ｅを設け、スプロケット３ａ，３ｃ，３ｅより前方でかつ下方にスプロケット３ｂ，３ｄ，３ｆを設ける。次にスプロケット３ａ，３ｂにチェーン３ｇをかけ渡し、スプロケット３ｃ，３ｄにチェーン３ｈをかけ渡し、スプロケット３ｅ，３ｆにチェーン３ｉをかけ渡す。さらにチェーン３ｇ，３ｈ，３ｉに所定の間隔で複数の引き起こし爪３ｊを設ける。
収穫機は後部にエンジン９を設けている。さらにエンジン９に近接して走行ミッション１０を設ける。走行ミッション１０は、エンジン９の回転を入力とし、入力軸の回転を異なる歯数のギアに伝達することによって、回転数及びトルクを変更して出力軸に出力するものである。走行ミッション１０の前方には、左右に長い駆動軸１９ａが設けられ、走行ミッション１０の出力軸は、クラッチ１０ａを介してベベルギア部１８ａによって左右に長い駆動軸１９ａを駆動できるようにする。さらに駆動軸１９ａの右端部分の近くには前後に長い駆動軸１９ｂを設ける。次に駆動軸１９ａの右端から駆動軸１９ｂの後端に回転を伝達できるようにベベルギア部１８ｂを設ける。次に駆動軸１９ｂの前端とスプロケット３ａ，３ｃ，３ｅを設けた駆動軸の右端が係合して回転を伝達できるようにベベルギア部１８ｃを設ける。
次に引き起こし装置３の後方に引抜装置５を設ける。まず傾斜させたプーリー５ａ，５ｃを設け、プーリー５ａ，５ｃより前方でかつ下方にプーリー５ｂ，５ｄを設ける。次にプーリー５ａ，５ｂにベルト５ｅをかけ渡し、プーリー５ｃ，５ｄにベルト５ｆをかけ渡す。ベルト５ｅとベルト５ｆはベルト面同士が近接するようにする。次にプーリー５ａと同軸上に駆動スプロケット１６ｂを設け、プーリー５ｃと同軸上に駆動スプロケット１６ｃを設ける。次に駆動軸１９ａに近い位置に駆動スプロケット１６ａを設け、駆動スプロケット１６ａ，１６ｂ，１６ｃに駆動チェーン１７ａをかけ渡す。さらに駆動スプロケット１６ａはウォームギア２０を介して駆動軸１９ａによって駆動されるようにする。
次に引き起こし装置３の後方で引抜装置５より前方に掻き込み装置４を設ける。まず引抜装置５のプーリー５ｂの上方に同軸で回転する駆動スプロケット１６ｇを設け、プーリー５ｄの上方に同軸で回転する駆動スプロケット１６ｋを設ける。次に駆動スプロケット１６ｇ，１６ｋより後方でかつ上方に駆動スプロケット１６ｄ，１６ｈを設け、駆動スプロケット１６ｇ，１６ｄに駆動チェーン１７ｂをかけ渡し、駆動スプロケット１６ｋ，１６ｈに駆動チェーン１７ｄをかけ渡す。次に駆動スプロケット１６ｄ，１６ｈの軸の上部にユニバーサルジョイントを設けて回転を傾けて伝えることができるようにし、ユニバーサルジョイントによって傾けられた軸にプーリー４ａ，４ｃをそれぞれ設ける。次にプーリー４ａ，４ｃより前方でかつ下方にプーリー４ｂ，４ｄを設け、プーリー４ａ，４ｂにベルト４ｅをかけ渡し、プーリー４ｃ，４ｄにベルト４ｆをかけ渡す。ベルト４ｅ，４ｆは対向するベルト面が所定の間隔になるよう設けられる。ベルト４ｅ，４ｆの外周には所定の間隔で複数の掻き込み爪４ｇを設ける。
次に位置決め移送装置６を引抜装置５の後方に設ける。まず、駆動スプロケット１６ｄ，１６ｈのそれぞれ同軸でかつ下方に駆動スプロケット１６ｅ，１６ｉを設け、所定の位置に駆動スプロケット１６ｆ，１６ｊを設け、駆動スプロケット１６ｅ，１６ｆに駆動チェーン１７ｃをかけ渡し、駆動スプロケット１６ｉ，１６ｊに駆動チェーン１７ｅをかけ渡す。次に所定の左右位置にプーリー６ａ，６ｃを設ける。次に駆動スプロケット１６ｆの駆動軸とプーリー６ａの駆動軸が係合するようベベルギア部１８ｄを設け、駆動スプロケット１６ｊの駆動軸とプーリー６ｃの駆動軸が係合するようベベルギア部１８ｅを設ける。次にプーリー６ａ，６ｃより後方の所定位置にプーリー６ｂ，６ｄを設け、プーリー６ａ，６ｂにベルト６ｅをかけ渡し、プーリー６ｃ，６ｄにベルト６ｆをかけ渡す。
【００１０】
次に整列排出装置７を位置決め移送装置６の後方に設ける。プーリー６ｄに近い所定位置にプーリー７ａを設け、プーリー７ａより後方にプーリー７ｂを設け、プーリー７ａ，７ｂにベルト７ｃをかけ渡す。プーリー７ａの駆動軸はプーリー６ｄの駆動軸によって駆動されるようにベベルギア部１８ｆ，１８ｇを介して係合するように設ける。
次に切断装置８を設ける。まず、駆動軸１９ａにスプロケット８ｆを取り付け、スプロケット８ｆの前方にスプロケット８ｅを設け、スプロケット８ｆ，８ｅにチェーン８ｈをかけ渡す。次にスプロケット８ｅの駆動軸にスプロケット８ｄを設け、スプロケット８ｄの前方にスプロケット８ｃを設け、スプロケット８ｄ，８ｃにチェーン８ｇををかけ渡す。次に、位置決め移送装置６のベルト６ｅ，６ｆの上方に切断刃８ａを設ける。次に切断刃８ａの駆動軸とスプロケット８ｃの駆動軸をベベルギア部８ｂで係合させる。
次にマルチフィルム回収機能のある収穫機１の後方の両側側方に伝動ケース１１を設け、それぞれの伝動ケース１１から外側に車軸を突出させ、それぞれの車軸に車輪１２を取り付ける。さらに走行ミッション１０に駆動軸１９ａを駆動するために設けた出力軸とは別の左右に長い出力軸を設け、伝動ケース１１内部でスプロケット及びチェーンによって出力軸と車輪１２の車軸を連動させるようにしている。
次にスプロケット３ａ，３ｃ，３ｅを設けた駆動軸を右側側方に突出させて巻き取り具の回転軸３ｋとする。回転軸３ｋには、軸方向と直角に貫通穴を設けて取付ピン用の穴としている。
【００１１】
このマルチフィルム回収機能のある収穫機１を用いて玉ねぎの収穫を行なうには、玉ねぎと玉ねぎの間に引き起こし装置３のチェーン３ｇ，３ｈ，３ｉがそれぞれ位置するようにして、エンジン９によって各装置及び車輪１２を駆動する。このように収穫を行う際には、巻き取り具２は収穫機に取り付けない状態で行なえばよい。まず最も前方になる引き起こし装置３のチェーン３ｇ，３ｈ，３ｉが駆動されることによって、各チェーンに設けられている引き起こし爪３ｊが順に、玉ねぎと玉ねぎの間の土に差し入り、引き上げる動きを行なう。これによって、玉ねぎの生長した葉が隣りの玉ねぎの葉や土に絡った状態になっていても、玉ねぎの葉部をそれぞれの玉ねぎの方向に分けながら土から引き上げる。次に引き起こし装置３の後方に設けた掻き込み装置４の対向させたベルト４ｅ，４ｆそれぞれに設けた掻き込み爪４ｇによって、引き起こし装置３で引き上げた葉部をベルト４ｅ，４ｆの間に掻き込むようにする。次に掻き込み装置４の後方に設けた引抜装置５のベルト５ｅ，５ｆの間に玉ねぎの茎葉部を引き込み、ベルト５ｅ，５ｆで玉ねぎの茎葉部を強く挟んで土から引き抜く。次に位置決め移送装置６のベルト６ｅ，６ｆによって所定の位置までベルト５ｅ，５ｆで引き上げた玉ねぎの茎葉部を挟んで、ほぼ水平方向の後方に移送する。この際に、切断装置８の切断刃８ａによって玉ねぎの茎葉部の上部を所定位置で切断する。切断後さらに玉ねぎはベルト６ｅ，６ｆによって後方に送られ、整列排出装置７のベルト７ｃによって図示しないガイドによって向きを変更して、地面に落下させて整列する。このようにして土から引き上げられ、葉部を切断し、地面に整列され向きを整えられた玉ねぎは別の回収機によって回収される。
【００１２】
このようにして玉ねぎの収穫作業が終了したならば、マルチフィルム回収機能のある収穫機１を畝の端の近くに移動させる。あらかじめ巻き取り具２の２つの巻き取り部材２ｄにはコ字状の固定具２ｅをコ字状の両端を管状の巻き取り部材２ｄの先端内周に挿入するようにして取り付けておく。次に巻き取り具２の回転フレーム２ａの取付軸部２ｂの先端を回転軸３ｋに取り付ける。取付軸部２ｂは管状になっているので、取付軸部２ｂの内穴に回転軸３ｋを挿入するようにして取り付ける。さらに、取り付ける際には図１１に示すように取付軸部に設けた取付穴と回転軸３ｋに設けた取付穴の位置を合わせるようにし、合わせた取付穴に取付ピン２ｈを貫通させ、突出した取付ピン２ｈの先端にピン止め２ｉを取り付けて巻き取り具２が回転軸３ｋから抜けて外れないようし、かつ巻き取り具２が回転軸３ｋと一体となって回転するように係合するようにする。
このように回転軸３ｋに巻き取り具２を取り付けたならば、使用したマルチフィルムの一端を巻き取り具２の２つの巻き取り部材２ｄのどちらかに巻くか結んで取り付ける。この際に、マルチフィルム回収機能のある収穫機１は、前方がマルチフィルムの長手方向に近い方向を向くようにする。巻き取り部材２ｄにマルチフィルムＣの一端を取り付けたならば、エンジン９を駆動して駆動軸１９ａ，１９ｂを駆動し、ベベルギア部１８ｃによって回転軸３ｋを回転させる。この際に各装置は前輪１３によって地面に接しない浮いた状態にする。回転軸３ｋが回転することによって回転軸３ｋに取り付けた巻き取り具２が回転する。巻き取り具２が回転するとマルチフィルムＣを取り付けた巻き取り部材２ｄが回転して後方に移動することによってマルチフィルムＣが引っ張られる。さらにマルチフィルムＣを取り付けた巻き取り部材２ｄが後側下方まで回転するともう一方の巻き取り部材２ｄがマルチフィルムＣを下方から持ち上げ、さらにマルチフィルムＣは徐々に引っ張られる。このようにして徐々にマルチフィルムＣを引っ張りながら２つの巻き取り部材２ｄの外側にマルチフィルムＣを巻き取って行く。これによりマルチフィルムＣは長円状に巻き取られて行く。
【００１３】
このようにして使用されたマルチフィルムＣを巻き取ったならば、エンジン９を停止させる。次に図９（ａ）に示すように巻き取り具２の巻き取り部材２ｄに取り付けた固定具２ｅを引っ張るようにして取り外す。固定具２ｅを取り外すことによって、巻き取り部材２ｄ同士の先端の間の距離を一定に支持していた部材が取り除かれることになる。巻き取り部材２ｄには、巻き取ったマルチフィルムＣによって締め付ける力がかかっているので、固定具２ｅを取り外すことにより、マルチフィルムＣの締め付け力によって巻き取り部材２ｄと取付管２ｃのすき間及び巻き取り部材２ｄのピン取付穴と取付ピン２ｆのすき間の分巻き取り部材２ｄが内側に傾く。これによってマルチフィルムＣと巻き取り部材２ｄは係合している力が少なくなる。この状態で、図９（ｂ）に示すように巻き取り部材２ｄに巻き取ったマルチフィルムＣの終端部分を手で持って回転フレーム２ａの内側に差し込み、さらにすき間空間２ｊに差し込む。すき間空間２ｊを設けていることによって、差し込んだマルチフィルムの終端部分は支持部管部材２ｋや取付軸部２ｂに当たることなく、２つの巻き取り部材２ｄの間のマルチフィルムＣに巻き取り方向と略９０°の方向にマルチフィルムＣの終端部分を巻き付けることができる（図１０（ａ））。このようにしてマルチフィルムの終端部分を巻き取り方向と９０°の方向に巻き付けたならば、その一部を結んで、はずれないようにする。次に巻き取って結束したマルチフィルムＣを図１０（ｂ）に示すように、巻き取り部材２ｄから引き抜く。マルチフィルムＣは巻き取り部材２ｄが内側に傾いたことによって巻き取り部材２ｄと係合する力が弱くなっているので軽い力で引き抜くことができる。このようにして巻き取り具から取り外したマルチフィルムＣは、内周側に隙間のない長円状になり非常にコンパクトな状態となる。また、マルチフィルムの巻き取った形状がくずれないように結束しているので、巻き取り具からはずす際やその後の取り扱いが非常に容易になり、作業性が向上する。また、回収したマルチフィルムＣは非常にコンパクトな状態になっているので、マルチフィルムＣを廃棄するまで保管する場所も取らない。
また、このように収穫機１に巻き取り具を脱着自在に取り付けるようにすることで別の装置を設けることなく収穫機１に巻き取り具を取り付けることによりマルチフィルムＣを回収できるようにしているのでコストを抑制でき、収穫機の動力を使うので、手で巻き取るより作業を効率的にかつ楽に行える。
【００１４】
図１３に示すのは、実施例のマルチフィルム回収用巻き取り具の他の例である。
図中、２１は巻き取り具、２１ａは回転フレーム、２１ｂは取付軸部、２１ｃは巻き取り部材、２１ｄは固定具、２１ｅはすき間空間、２１ｆは支持部管部材である。実施例の他の例では円形の回転フレーム２１ａから中心に向かう支持部管部材２１ｆを途中から湾曲させてすき間空間２１ｅを形成している。このように、すき間空間の形状、回転フレームの形状、巻き取り形状はどのようなものでもよく、必要に応じて決めればよい。
【００１５】
【発明の効果】
本発明によれば、畑で使用したマルチフィルムを巻き取って回収することができ、巻き取ったマルチフィルムの終端又は結束部材で巻き取った状態のマルチフィルムを結束したマルチフィルムの取り扱いを容易にできるマルチフィルム回収用巻き取り具にできる。
巻き取り部材をマルチフィルムの締め付け力によって回転軸方向に少し傾く構造又は強度にし、巻き取り部材に固定具を脱着自在に取り付けたものは、巻き取って結束したマルチフィルムの巻き取り部材からの取りはずし作業を容易でかつ作業時間を短くする。
回転体が、リング部材と取付管部材と支持部材とからなるものは、軽く丈夫でかつ簡単な構成でコストを抑制した回転体にできる。
農作業機の動力で駆動させる回転軸にマルチフィルム回収用巻き取り具を取り付けたものは、別の装置を設けることなくマルチフィルムを巻き取れるようにして、マルチフィルムの回収作業も行える有用な農作業機にできる。
【図面の簡単な説明】
【図１】実施例のマルチフィルム回収用巻き取り具を取り付けたマルチフィルム回収機能のある農作業機の斜視図である。
【図２】実施例のマルチフィルム回収用巻き取り具を取り付けたマルチフィルム回収機能のある農作業機の説明図である。
【図３】実施例のマルチフィルム回収用巻き取り具を取り付けたマルチフィルム回収機能のある農作業機の説明図である。
【図４】実施例のマルチフィルム回収用巻き取り具を取り付けたマルチフィルム回収機能のある農作業機の説明図である。
【図５】実施例のマルチフィルム回収用巻き取り具を取り付けたマルチフィルム回収機能のある農作業機の動力伝達図である。
【図６】実施例のマルチフィルム回収用巻き取り具の斜視図である。
【図７】実施例のマルチフィルム回収用巻き取り具の説明図である。
【図８】実施例のマルチフィルム回収用巻き取り具の説明図である。
【図９】実施例のマルチフィルム回収用巻き取り具で巻き取ったマルチフィルムを取り外す状態の説明図である。
【図１０】実施例のマルチフィルム回収用巻き取り具で巻き取ったマルチフィルムを取り外す状態の説明図である。
【図１１】実施例のマルチフィルム回収用巻き取り具の回転軸への取り付け部分の一部拡大図である。
【図１２】実施例のマルチフィルム回収用巻き取り具の巻き取り部材取付部分の一部拡大図である。
【図１３】実施例のマルチフィルム回収巻き取り具の他の例の説明図である。
【図１４】従来のマルチフィルムの回収状態を示す説明図である。
【符号の説明】
１  マルチフィルム回収機能のある収穫機
２  巻き取り具
２ａ  回転フレーム
２ｂ  取付軸部
２ｃ  取付管
２ｄ  巻き取り部材
２ｅ  固定具
２ｆ  取付ピン
２ｇ  ピン止め
２ｈ  取付ピン
２ｉ  ピン止め
２ｊ  すき間空間
２ｋ  支持部管部材
３  引き起こし装置
３ａ〜３ｆ  スプロケット
３ｇ〜３ｉ  チェーン
３ｊ  引き起こし爪
３ｋ  回転軸
４  掻き込み装置
４ａ〜４ｄ  プーリー
４ｅ，４ｆ  ベルト
４ｇ  掻き込み爪
５  引抜装置
５ａ〜５ｄ  プーリー
５ｅ，５ｆ  ベルト
６  位置決め移送装置
６ａ〜６ｄ  プーリー
６ｅ，６ｆ  ベルト
７  整列排出装置
７ａ，７ｂ  プーリー
７ｃ  ベルト
８  切断装置
８ａ  切断刃
８ｂ  ベベルギア部
８ｃ〜８ｆ  スプロケット
８ｇ，８ｈ  チェーン
９  エンジン
１０  走行ミッション
１０ａ  クラッチ
１１  伝動ケース
１２  車輪
１３  前輪
１４  欠番
１５  欠番
１６ａ〜１６ｋ  駆動スプロケット
１７ａ〜１７ｅ  駆動チェーン
１８ａ〜１８ｇ  ベベルギア部
１９ａ，１９ｂ  駆動軸
２０  ウォームギア
２１  巻き取り具
２１ａ  回転フレーム
２１ｂ  取付軸部
２１ｃ  巻き取り部材
２１ｄ  固定具
２１ｅ  すき間空間
２１ｆ  支持部管部材
Ｂ  畑
Ｃ  マルチフィルム
Ｄ  人
【図１】
0004426691.tif 000002
【図２】
0004426691.tif 000003
【図３】
0004426691.tif 000004
【図４】
0004426691.tif 000005
【図５】
0004426691.tif 000006
【図６】
0004426691.tif 000007
【図７】
0004426691.tif 000008
【図８】
0004426691.tif 000009
【図９】
0004426691.tif 000010
【図１０】
0004426691.tif 000011
【図１１】
0004426691.tif 000012
【図１２】
0004426691.tif 000013
【図１３】
0004426691.tif 000014
【図１４】
0004426691.tif 000015